(57)【要約】【課題】カップリングの内部にスリーブをなくし、スケーラチップの加工、製造を簡易にし、また、カップリングの底面の口をドリルで穿つなど、ブラシを接着する底面にストレスをかけることがなく、スケーラチップの耐久性及び品質の向上を図る。【解決手段】ブラシ２の一端面に、中空部２０を開放してブラシ２を結合しブラシ２の一端面を被覆保護する接続層２１を設け、カップリング３の底面３２を平坦にして、その中央に水などの流体を通すための口３４を開口し、ブラシ２の接続層２１をカップリング３の底面３２の口３４周囲に接着剤４を介して固定する。【選択図】図３
2009006029.tif 000002
【特許請求の範囲】
【請求項１】
筒状に束ねられ、中央に中空部を設けられたブラシと、前記ブラシを挿着、固定するための有底筒形形状のブラシ固定部、及び前記ブラシ固定部の底面上に連接され歯科用スケーラに連結、固定される筒形形状のチップ固定部を有し、当該底面に水などの流体を通すための口が設けられて、前記ブラシ固定部と前記チップ固定部間に水などの流体の流路を形成されたカップリングとを備え、前記ブラシが前記カップリングに内包保持されて、歯科用スケーラの先端に取り付けられるスケーラチップにおいて、
前記ブラシの一端面に、前記中空部を開放して前記ブラシを結合し前記ブラシの一端面を被覆保護する接続層を備え、
前記カップリングの底面は平坦で、その中央に前記口が開口され、
前記ブラシは当該接続層が前記カップリングの底面の口周囲に接着剤を介して固定される、
ことを特徴とするスケーラチップ。
【請求項２】
ブラシの接続層はブラシの一端面が溶着されて形成される請求項１に記載のスケーラチップ。
【請求項３】
筒状に束ね、中央に中空部を設けたブラシを、前記ブラシを固定する有底筒形形状のブラシ固定部及び前記ブラシ固定部の底面上に歯科用スケーラに連結する筒形形状のチップ固定部を連接し、当該底面に水などの流体を通すための口を設けたカップリングの中に挿入し、前記ブラシの一端面を前記カップリングの底面に接着剤を介して固定するスケーラチップの製造方法において、
前記ブラシの中央に前記中空部を保持するためのピンを差し通し、この状態から前記ブラシの一端面に、前記ブラシを結合し前記ブラシの一端面を被覆保護する接続層を成形し、前記ブラシの接続層を形成した後、又は形成の途中で前記ブラシから前記ピンを抜き取ることにより、前記ブラシに接着層を形成し、
前記カップリングに前記底面の口を通じて、前記ブラシを前記カップリングの中に挿着するためのピンを差し通し、前記カップリングの底面又は前記ブラシの接続層のいずれか一方又は両方に接着剤を塗布して、前記ブラシの中空部に前記カップリング内のピンを嵌め合わせ、これをガイドにしながら、前記ブラシを前記カップリングに挿入して、前記ブラシの接続層を前記カップリングの底面に接着し、前記接着剤が乾いた後、又は半乾きの状態で前記ブラシから前記ピンを抜き取ることにより、前記カップリングと前記ブラシとを固定する、
ことを特徴とするスケーラチップの製造方法。
【請求項４】
ブラシの一端面に、接続層を、前記ブラシの一端面を溶着することにより形成する請求項３に記載のスケーラチップの製造方法。
【請求項５】
ブラシの中空部に差し入れるピンに、セラミック製又は金属製のピンを採用する請求項３又は４に記載のスケーラチップの製造方法。
【請求項６】
カップリングの底面の口に差し込むピンに、テフロン（登録商標）その他のエポキシ系接着剤が接着しにくい材質のピンを採用する請求項３乃至５のいずれかに記載のスケーラチップの製造方法。
【請求項７】
ブラシとカップリングとを接着する接着剤に、エポキシ系接着剤を採用する請求項３乃至６のいずれかに記載のスケーラチップの製造方法。
【発明の詳細な説明】
【技術分野】
【０００１】
本発明は、歯科用スケーラに用い、歯面の清掃、洗浄に使用するスケーラチップ及びその製造方法に関する。
【背景技術】
【０００２】
従来から、歯石や歯の表面の変色部の除去を行うための歯科用器具として、歯科用スケーラが知られている。歯科用スケーラは、空気や電気などを動力源として、ヘッドに備えたチップを振動させるようにしたもので、この歯科用スケーラには、歯面の清掃を目的とするチップ、歯と歯肉との間の歯石の除去を目的とするチップなど、各種のスケーラチップが採用されている。特に、歯面の清掃、洗浄のためのスケーラチップはカップリングにブラシを内包保持したもので、ブラシの先端部の形状は、歯表面、歯間など清掃箇所の形状に適合させ、効率よく除去できるように、さまざまな種類のものが用意されている。
【０００３】
この種のスケーラが特許文献１に記載されている。このスケーラは、図６に示すように、電気駆動式のスケーラ本体（掴みスリーブ）６１と、スケーラ本体６１の前端に取り付けられて前方に延びるチップホルダ（シャフト）６３と、チップホルダ６３の先端に装着されたスケーラチップ６４とを備え、スケーラ本体６１に内蔵された振動発生器６２によりにスケーラチップ６４が振動するように構成され、また、スケーラ本体６１、チップホルダ６３、スケーラチップ６４間に水の供給ライン６５が形成されて、（スケーラ本体６１の後端側に接続された）水の供給源から水が送給され、この水が水の供給ライン６５を通して、チップホルダ（ブラシ）６４の先端から噴出するようになっている。図７に示すように、スケーラチップ６４は、ブラシ６５がカップリング６７に内包保持された構造のブラシチップになっている。このスケーラチップ６４の場合、カップリング６７は、ブラシ６５を挿着、固定するための有底筒形形状のブラシ固定部６８、及びブラシ固定部６８の底面６８１上に連接されスケーラ本体６１のチップホルダ６３に連結、固定される筒形形状のチップ固定部６９を有し、当該底面６８１に水を通すための口６８０が設けられている。この場合、カップリング６７の底面６８１の口６８０は、ブラシ６５をカップリング６７に挿入する際に、水の噴出のための管の位置を合わせるために、スリーブ状に形成されている。そして、ブラシ６５が筒状に束ねられ、中央に中空部６６が設けられた状態で、カップリング６７のブラシ固定部６８内に挿着、固定されている。このようにしてブラシ構造のスケーラチップ６４を振動させ、ブラシの先端から水を噴出させることで、歯の表面の汚れ、変色を効果的に除去できるようにしている。
【０００４】
このようなスケーラチップ６４の構造から、このスケーラチップ６４を製造する場合、ブラシ６５とカップリング６７を形成し、ブラシ６５をカップリング６７に挿着、固定する工程を採ることになる。ブラシ６５を形成する工程では、既述のとおり、ブラシ６５を筒状に束ね、中央に中空部６６を形成する。カップリング６７を形成する工程では、ブラシ６５を挿着、固定するための有底筒形形状のブラシ固定部６８（の底面６８１上）に、スケーラ本体６１に連結、固定するための筒形形状のチップ固定部６９を連接して形成し、当該底面６８１には水を通すためのスリーブ状の口６８０を設ける。そして、ブラシ６５をカップリング６７に挿着、固定する工程で、ブラシ６５の一端面（先端部とは反対となる端面）に接着剤を塗布し、カップリング６７（のブラシ固定部６８）の内部に挿入して、ブラシ６５の一端面をカップリング６７の底面６８１に接着剤を介して接着、固定する。また、このようなスケーラチップの製造方法では、カップリングの内部にスリーブを形成するのに、手間がかかるため、この製造を容易にするために、図８に示すように、カップリング６７の底面６８１を平面にして、底面６８１の中央に口６８０を開口し、ブラシ６５の一端面に接着剤を塗布してからブラシ６５をカップリング６７の内部に挿入して、ブラシ６５をカップリング６７の底面６８１に接着、固定することが一般的に行われている。なお、この場合、接着剤が乾いた後、乾いた接着剤で底面６８１の口６８０が塞がれるため、口６８０をドリルなどを使って穿ち、カップリング６７の水の経路を貫通させる必要がある。
【特許文献１】特開平７−１９４６１９号公報
【発明の開示】
【発明が解決しようとする課題】
【０００５】
しかしながら、上記従来のスケーラチップ及びその製造方法では、次のような課題がある。
（１）カップリング（ブラシ固定部）の底面にスリーブ状の口を備える構造では、口を形成するのに、加工上、工数が多く、コストが増大する。
（２）カップリング（ブラシ固定部）の底面にスリーブ状の口を備える構造では、製造ラインで、ブラシをブラシ固定部に挿入する際に、ブラシの中空部にスリーブを合わせることが難しい。
（３）カップリング（ブラシ固定部）の底面にスリーブをなくし、底（壁）面を平面形状にすることにより、上記（１）（２）の課題を解決することができるが、この場合、ブラシをカップリングの底面に接着剤により接着して、接着剤が乾いた後、底面の口をドリルなどを使って貫通させる必要があり、このドリルの回転によるストレスによって、底（壁）面に接着、固定されたブラシの接着力が弱められ、このスケーラチップをスケーラに装着して使用しているうちに、ブラシを構成する毛が底面から徐々に剥離していくなど、十分な耐久性が得難い。
【０００６】
本発明は、このような従来の問題を解決するもので、この種のスケーラチップ及びその製造方法において、カップリングの内部にスリーブをなくし、スケーラチップの加工、製造を簡易にすること、また、カップリングの底面の口をドリルなどで穿つ必要がなく、ブラシを接着する底面にストレスをかけず、スケーラチップの耐久性及び品質の向上を図ること、などを目的とする。
【課題を解決するための手段】
【０００７】
上記目的を達成するために、本発明のスケーラチップは、筒状に束ねられ、中央に中空部を設けられたブラシと、前記ブラシを挿着、固定するための有底筒形形状のブラシ固定部、及び前記ブラシ固定部の底面上に連接され歯科用スケーラに連結、固定される筒形形状のチップ固定部を有し、当該底面に水などの流体を通すための口が設けられて、前記ブラシ固定部と前記チップ固定部間に水などの流体の流路を形成されたカップリングとを備え、前記ブラシが前記カップリングに内包保持されて、歯科用スケーラの先端に取り付けられるスケーラチップにおいて、前記ブラシの一端面に、前記中空部を開放して前記ブラシを結合し前記ブラシの一端面を被覆保護する接続層を備え、前記カップリングの底面は平坦で、その中央に前記口が開口され、前記ブラシは当該接続層が前記カップリングの底面の口周囲に接着剤を介して固定される、ことを要旨とする。この場合、ブラシの接続層を、ブラシの一端面を溶着することにより形成することができる。
【０００８】
また、本発明のスケーラチップの製造方法は、筒状に束ね、中央に中空部を設けたブラシを、前記ブラシを固定する有底筒形形状のブラシ固定部及び前記ブラシ固定部の底面上に歯科用スケーラに連結する筒形形状のチップ固定部を連接し、当該底面に水などの流体を通すための口を設けたカップリングの中に挿入し、前記ブラシの一端面を前記カップリングの底面に接着剤を介して固定するスケーラチップの製造方法において、前記ブラシの中央に前記中空部を保持するためのピンを差し通し、この状態から前記ブラシの一端面に、前記ブラシを結合し前記ブラシの一端面を被覆保護する接続層を成形し、前記ブラシの接続層を形成した後、又は形成の途中で前記ブラシから前記ピンを抜き取ることにより、前記ブラシに接着層を形成し、前記カップリングに前記底面の口を通じて、前記ブラシを前記カップリングの中に挿着するためのピンを差し通し、前記カップリングの底面又は前記ブラシの接続層のいずれか一方又は両方に接着剤を塗布して、前記ブラシの中空部に前記カップリング内のピンを嵌め合わせ、これをガイドにしながら、前記ブラシを前記カップリングに挿入して、前記ブラシの接続層を前記カップリングの底面に接着し、前記接着剤が乾いた後、又は半乾きの状態で前記ブラシから前記ピンを抜き取ることにより、前記カップリングと前記ブラシとを固定する、ことを要旨とする。この場合、ブラシの接続層を、ブラシの一端面を溶着することにより形成することができる。また、ブラシの中空部に差し入れるピンは、セラミック製又は金属製のピンを採用することが好ましい。カップリングの底面の口に差し込むピンは、テフロン（登録商標）その他のエポキシ系接着剤が接着しにくい材質のピンを採用することが好ましい。ブラシとカップリングとを接着する接着剤は、エポキシ系接着剤を採用することが好ましい。
【発明の効果】
【０００９】
本発明のスケーラチップ及びその製造方法によれば、カップリングの内部にスリーブをなくし、スケーラチップの加工、製造を簡易にすることができ、また、カップリングの底面の口をドリルなどで穿つ必要がなく、ブラシを接着する底面にストレスをかけず、スケーラチップの耐久性及び品質の向上を図ることができる。
【発明を実施するための最良の形態】
【００１０】
以下、本発明の一実施の形態について図を用いて詳述する。まず、本願発明品のスケーラチップについて説明する前に、このスケーラチップを適用する歯科用スケーラのスケーラ本体及びチップホルダの概要について説明する。図１に歯科用スケーラの全体構成を示している。図１に示すように、この歯科用スケーラ１１はエア駆動形式のスケーラで、スケーラ本体１２は外部が手で把持可能な略円筒形状のケーシング１３により形成され、このケーシング１３の内部にエア駆動の振動発生機構１４、洗浄用の水の経路をなす水回路１５などが組み込まれる。ケーシング１３の前端中央には円筒状の開口が形成され、内周にねじが切られて、チップホルダ１６を螺着するための取付部１３１が設けられる。ケーシング１３の後端には、振動発生機構１４にエアを圧送するエア接続部、水回路に水を供給する水接続部が設けられて、これらの接続部にエア供給用管、水供給用管が収束されたフレキシブルコード（図示省略）が着脱可能に取り付けられるようになっている。図２にこのスケーラに採用するチップホルダを拡大して示している。図２に示すように、チップホルダ１６は、パイプシャフト１６０と、パイプシャフト１６０前端のチップ装着部１６１と、パイプシャフト１６０後端のホルダ固定部１６２とを有する。この場合、パイプシャフト１６０はパイプ材を略への字形の曲線状に曲げて形成される。チップ装着部１６１はパイプシャフト１６０の前端にスケーラチップ１のチップ固定部３３が嵌合可能に円筒状に形成され、かつ内周にねじが切られて、スケーラチップ１のチップ固定部３３が螺着可能に設けられる。ホルダ固定部１６２はパイプシャフト１６０の後端にスケーラ本体１２前端の取付部１３１に嵌合可能に円筒状に形成され、かつ外周にねじが切られて、このホルダ固定部１６２がスケーラ本体１２の取付部１３１に螺着可能に設けられる。また、ホルダ固定部１６２、パイプシャフト１６０、チップ装着部１６１間は連通され、水の経路１６３が形成される。このようにしてチップホルダ１６はホルダ固定部１６２によりスケーラ本体１２の取付部１３１に着脱可能に取り付けられ、スケーラ本体１２の振動駆動機構１４に作動連結されて、スケーラ本体１２の振動発生機構１４により発生する振動をスケーラチップ１に伝達し、また、チップホルダ１６の水の経路１６３がスケーラ本体１２の水回路１５に連通されて、スケーラ本体１２に供給された水をスケーラチップ１に送り出す機能を有している。
【００１１】
図３に本願発明品のスケーラチップを拡大して示している。図３に示すように、スケーラチップ１は歯面の清掃、洗浄のためのブラシチップで、ブラシ２がカップリング３に内包保持された構造になっている。この場合、ブラシ２は円筒状に束ねられ、中央に円筒状の中空部２０が設けられる。そして、ブラシ２の一端面には、中空部２０を開放してブラシ２（を構成する毛）を結合するとともにブラシ２の一端面を被覆保護する接続層２１が設けられる。この実施の形態では、ブラシ２にナイロンブラシが採用され、ブラシ２の接続層２１はブラシ２の一端面が溶着されて形成される。カップリング３はブラシ２を挿着、固定するための有底円筒形形状のブラシ固定部３１と、ブラシ固定部３１の底面３２上に連接され、チップホルダ１６に連結、固定される、外周にねじを切られた円筒形形状のチップ固定部３３とを有する。そして、ブラシ固定部３１の底面３２は平坦に形成され、その中央に水を通すための口３４が開口されて、ブラシ固定部３１とチップ固定部３３との間に水の経路３５が形成される。そしてブラシ２は接続層２１から、カップリング３のブラシ固定部３１に挿入され、ブラシ２の接続層２１全体がカップリング３の底面３２の口３４周囲に接着剤４、この場合、エポキシ系の接着剤を介して固定される。このスケーラチップ１は、チップ固定部３３によりチップホルダ１６のチップ装着部１６１に着脱可能に取り付けられてチップホルダ１６に一体化され、水の経路３５がチップホルダ１６の水の経路１６３に連通される。このようにしてスケーラ本体１２の振動発生機構１４によりスケーラチップ１が振動し、また、スケーラ本体１２を通じて送給された水がブラシ２の先端から噴出するようになっている。
【００１２】
このようにこのスケーラチップ１では、ブラシ２の一端面に、中空部２０を開放してブラシ２を結合しブラシ２の一端面を被覆保護する接続層２１を設け、カップリング３の底面３２を平坦にしてその中央に水を通すための口３４を開口し、ブラシ２の接続層２１をカップリング３の底面３２の口３４周囲に接着剤４を介して固定するので、従来品に比べて、カップリング３の底面３２にスリーブ状の口を設けていない分だけカップリング３の構造を簡易にして、加工しやすくすることができ、その製造上、工数を削減し、コストを低減することができる。また、このスケーラチップ１の場合、ブラシ２端に接続層２１を設けて、ブラシ２端を保護被覆し、この接続層２１を接着剤４によりカップリング３の底面３２に接着することで、ブラシ２を接着剤４の毛細管現象による作用を防止してカップリング３に効果的に接続できる特有の効果がある。すなわち、既述の従来品のように、ブラシを接着剤で直にカップリングの底面に接着すると、毛細管現象の作用から、接着剤がブラシの毛を先端方向に伝って固まり、ブラシの毛と毛の間を塞いでしまうことがあるが、このブラシ２は接続層２１により接着剤４が遮断され、ブラシ２の毛に伝わることがないので、ブラシ２の毛と毛の間が接着剤で塞がれることがなく、水の経路３５が塞がれたり、小さくなったりすることがない。
【００１３】
図４及び図５に、このスケーラチップの製造方法を示している。このスケーラチップの製造方法の場合、従来と同様に、ブラシ２、カップリング３をそれぞれ形成し、ブラシ２をカップリング３に挿着、固定する工程を採る。ブラシ２を形成する工程では、既述のとおり、ブラシ２を円筒状に束ね、中央に中空部２０を形成する。そして、この工程で、図４（１）に示すように、ブラシ２の中央にこの中空部２０を保持するための、ブラシ２よりも長いピン５１を差し通し、この状態からブラシ２の一端面に、ブラシ（毛）２を結合しブラシ２の一端面を被覆保護する接続層２１を成形する。この場合、ブラシ２にナイロンブラシを採用しているので、接続層２１を、ブラシ２の一端面を溶着することで形成することができる。また、ピン５１は耐熱性を有するものを使用することが好ましく、ここでは、セラミック製又は金属製のピンを採用する。このようにしてブラシ２の一端面に接続層２１を形成した後、又は接続層２１の形成途中で、図４（２）に示すように、ブラシ２からピン５１を抜き取る。この場合、セラミック製のピンなどその材質から、ブラシ２の接続層２１がピン５１の周りに固着しない場合には、ブラシ２の接続層２１を完全に形成した後、つまりブラシ２の接続層２１が乾いてから、ブラシ２からピン５１を抜き取る。また、金属製のピンなどその材質から、ブラシ２の接続層２１がピン５１の周りに固着するような場合は、ブラシ２の接続層２１の形成途中で、つまりブラシ２の接続層２１が半乾きの状態で、ブラシ２からピン５１を抜き取るようにする。このようにしてブラシ２の一端面に接続層２１を形成する。カップリング３を形成する工程では、既述のとおり（図３参照）、ブラシ２を挿着、固定するための有底円筒形形状のブラシ固定部３１と、その底面３２上にスケーラ本体１２に連結、固定する、外周にねじを切られた円筒形形状のチップ固定部３３を連接して形成する。そして、カップリング３の底面３２は平坦面とし、その中央に水を通すための口３４を開口する。このようにしてブラシ２とカップリング３との接着工程で、図５（１）に示すように、カップリング３に底面３２の口３４を通して、ブラシ２をカップリング３の中に挿着するための、カップリング３よりも長いピン５２を差し通し、図５（２）に示すように、この状態からカップリング３の底面３２又はブラシ２の接続層２１のいずれか一方又は両方に接着剤４を塗布する。この場合、接着剤４にエポキシ系の接着剤を採用し、ピン５２にエポキシ系の接着剤が付着しにくい、例えばテフロン（登録商標）などの材料で形成したものを採用する。続いて、図５（３）に示すように、ブラシ２の中空部２０にカップリング３内のピン５２を嵌め合わせ、これをガイドにしながら、ブラシ２をカップリング３のブラシ固定部３１に挿入して、ブラシ２の接続層２１全体をカップリング３の底面３２の口３４周囲に接着する。そして、接着剤４が乾いた後、又は半乾きの状態で、図５（４）に示すように、カップリング３からピン５２を抜き取る。この場合、テフロン（登録商標）などの材料で形成したピンなどその材質から、接着剤４がピン５２の周りに固着しないあるいは固着しにくい場合には、接着剤４が乾いた後で、カップリング３からピン５２を抜き取る。また、ピンの材質から接着剤４がピン５２の周りに付着するような場合は、接着剤４が半乾きの状態で、カップリング３からピン５２を抜き取るようにする。このようにしてブラシ２をカップリング３に挿着、固定する。
【００１４】
このようにこのスケーラチップの製造方法では、ブラシ２の一端面に、中空部２０を開放してブラシ２を結合しブラシ２の一端面を被覆保護する接続層２１を設け、カップリング３の底面３２を平坦にして、その中央に水を通すための口３４を開口し、ブラシ２の接続層２１をカップリング３の底面３２の口３４周囲に接着剤４を介して固定するので、既述の従来品のように、ブラシをブラシ固定部に挿入する際に、ブラシの中空部にスリーブを合わせるといったことがない。特に、この製造方法の場合、ブラシ２の中央にピン５１を差し通し、この状態からブラシ２の一端面に接続層２１を成形し、ブラシ２の接続層２１を形成した後、又は形成の途中でブラシ２からピン５１を抜き取ることにより、ブラシ２に接着層２１を形成し、そして、カップリング３に底面３２の口３４を通じてピン５２を差し通し、カップリング３の底面３２又はブラシ２の接続層２１のいずれか一方又は両方に接着剤４を塗布して、ブラシ２の中空部２０にカップリング３内のピン５２を嵌め合わせ、これをガイドにしながら、ブラシ２をカップリング３に挿入して、ブラシ２の接続層２１をカップリング３の底面３２に接着し、接着剤４が乾いた後、又は半乾きの状態でブラシ２からピン５２を抜き取ることにより、ブラシ２とカップリング３とを固定するので、ブラシ２の中空部２０とカップリング３の底面３２の口３４を完全に開放した状態で、ブラシ２とカップリング３を確実に接着、固定することができ、従来の製造方法のように、カップリング３の底面３２の口３４をドリルで穿つことがなく、ブラシ２とカップリング３との接着部分にストレスを加えることがないので、ブラシ２を底面３２に確実に接着固定することができ、スケーラチップ１を使用しているうち、ブラシ２の毛が底面３２から簡単に剥離するといったことがない。
【００１５】
以上説明したように、このスケーラチップ及びこのスケーラチップの製造方法によれば、カップリング３の内部にスリーブをなくして、スケーラチップ１の加工、製造を簡易にすることができ、また、カップリング３の底面３２の口３４をドリルなどで穿つ必要がなく、ブラシ２を接着する底面３２にストレスをかけることがないので、スケーラチップ１の耐久性と品質の向上を図ることができる。
【００１６】
なお、この実施の形態では、ブラシ２の接続層２１をブラシ２の一端面を溶着することにより形成したが、接着剤を使って接続層を形成することもできる。この場合、接着剤が毛細管現象の作用によってブラシの毛を先端方向に伝って固まらないように特別の手法を採る必要がある。
【００１７】
また、この実施の形態では、本願発明品のスケーラチップ１を、エア駆動形式のスケーラに適用したが、このスケーラチップ１は、電気駆動形式の他、各種形式のスケーラに適用することができることは勿論であり、スケーラチップ１の全部又は一部の形状、あるいはスケーラ（若しくはチップホルダ）との連結形式は、このスケーラ１を採用する各種形式のスケーラに応じて種々に変更されることは言うまでもない。
【００１８】
また、この実施の形態では、洗浄用の流体として水を例に上げたが、薬液も使用できることは、言うまでもない。
【図面の簡単な説明】
【００１９】
【図１】本発明の一実施の形態におけるスケーラチップを適用する歯科用スケーラの断面図
【図２】同スケーラに採用するチップホルダの拡大断面図
【図３】本発明の一実施の形態におけるスケーラチップの拡大断面図
【図４】同スケーラチップの製造方法、特にブラシの一端面に接続層を形成する工程を示す拡大断面図
【図５】同スケーラチップの製造方法、特にブラシをカップリングのブラシ固定部に挿着、固定する工程を示す拡大断面図
【図６】従来の歯科用スケーラの断面図
【図７】同スケーラの特にチップホルダ及びスケーラチップを示す拡大断面図
【図８】従来のスケーラチップの製造方法を示す拡大断面図
【符号の説明】
【００２０】
１  スケーラチップ
２  ブラシ
２０  中空部
２１  接続層
３  カップリング
３１  ブラシ固定部
３２  底面
３３  チップ固定部
３４  水を通すための口
３５  水の経路
４  接着剤
５１、５２  ピン
１１  歯科用スケーラ
１２  スケーラ本体
１３  ケーシング
１３１  取付部
１４  振動発生機構
１５  水回路（洗浄用の水の経路）
１６  チップホルダ
１６０  パイプシャフト
１６１  チップ装着部
１６２  チップ固定部
１６３  水の経路
【図１】
2009006029.tif 000003
【図２】
2009006029.tif 000004
【図３】
2009006029.tif 000005
【図４】
2009006029.tif 000006
【図５】
2009006029.tif 000007
【図６】
2009006029.tif 000008
【図７】
2009006029.tif 000009
【図８】
2009006029.tif 000010